【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
複数ユーザー間の支払取引を容易にする電子支払システム(EPS) (1000)であって、前記のシステムは以下から構成される:
・ユーザー登録用に構成され、さらに前記のEPS (1000)に登録する構成された複数の支払サービスプロバイダー システム(PSPS)であって、各PSPS (1004)は以下から構成される:
・PSPS (1004)に登録した利用者関連のユーザー情報データを保存するよう構成したローカルストレージ・デバイス(1004a)
・顧客が入力するデータ、ユーザー情報データ、登録ユーザーを照合するように構成された少なくとも1つの検索表(1004b)
・PSPSサーバ (1004c)
・複数のユーザーのデバイスであって、その各ユーザーデバイスがユーザー情報データの一環として登録済みである前記の登録ユーザーの1人と関連づけられている
・支払サービスプロバイダー アプリケーション (PSPA)ツール、前記のEPS (1000)に登録されたPSPS (1004)のPSPSサーバ(1004c)と関連付けここにホスティングされている各PSPAツール(1008)であって、登録ユーザーがPSPAツール(1008)と関連付けられたPSPSに登録されているか否かに関わらず、登録ユーザーのデバイス(1006)にダウンロードして保存可能な要素を有し、 ここに各PSPAツール(1008)は前記の登録ユーザーによる支払要請関連の取引データ信号の生成と受領を可能にし、要請に基づいて前記登録ユーザーの口座に貸方記帳や借方記帳を行う。各PSPAツール (1008)の前記のダウンロードして保存可能な要素は以下から構成される:
・PSPAツール(1008)と一意対応に関連付けられた登録済みPSPS (1004)にユーザーデバイス(1006)を登録することを可能にするよう構成された登録モジュール(1008a)及び
・登録ユーザーは登録ユーザーが登録されているPSPSの識別を含む固有のVPAを作成することができるほか、ユーザーデバイス(1006)は登録ユーザーのユーザー情報データとして前記の固有VPAをユーザー登録してあるPSPS (1004)のローカルストレージ・デバイス(1004a)に送信することも可能にするように構成された仮想支払アドレス(VPA)生成モジュール(1008b)、
・PSPS (1004)をEPS (1000)に登録することを可能にし、さらに、PSPSが同じ又は異なる登録ユーザー間の支払を実行するための取引データ信号の転送制御をPSPS間で選択的に可能にするように構成された統一支払インターフェース(UPI) (100)であって、前記のUPI (100)は以下から構成される: 
・複数のPSPSと共同で定期的に借方と貸方取引残高を校合し、登録済みPSPS間の正味借方と貸方残高明細を生成するように構成された決済モジュール(100a)
・所定ルールを記憶させるよう構成されたメインストレージ・デバイス(1002a)であり、この所定ルールは、電子支払取引、支払要請の送信と受信に関連する
・メインストレージ・デバイス(1002a)と共同で所定ルールを受信、処理して、モジュールを操作するためのシステム操作コマンドを取得するように構成された処理プロセッサ(1002b)。
【請求項２】
請求項1において請求されるEPS (1000)であって、ここに、前記のUPI (100)はさらに以下から構成される：
・登録ユーザー デバイスがPSPAツール経由で送った支払要請に関連する取引データ信号を受信するように構成されたレシーバー(100b)であって、ここに、各要請が第1登録ユーザーのVPA、第2登録ユーザーのVPA、取引額から構成される
・パース処理後の信号を取得するために取引データ信号をパースするように構成されたパーサー(100c)
・パース処理後の信号から第1登録ユーザーのPSPSと第2登録ユーザーのPSPSに関連する情報を抽出要素識別子で抽出して識別するように構成された抽出要素識別子(100d)
・取引データ信号を識別された対応するPSPSに転送し、パースしたデータ信号の内容に応じて第1登録ユーザーと第2登録ユーザーの口座間での貸方記帳ないし借方記帳を可能にするように構成された転送要素(100e)。
【請求項３】
請求項1において請求されるEPS (1000)であって、ここに、各PSPS (1004)がさらに2要因認証を提供するように構成された認証モジュールであって、前記の認証モジュールが以下から構成される：
・登録前固有番号を受け取り、PSPS (1004)に登録された利用者を形成し、ローカルストレージ・デバイス (1004a)に保存された受諾済みの登録前固有番号と登録ユーザーのユーザー情報データを照合することで登録ユーザーを確認し、登録ユーザー デバイス(1006)と関連付け、この際第1要因認証を提供するように構成された第1要因認証要素
・登録ユーザーのUPI PINないし生体認証入力を受諾し、受諾済みUPI PINないし生体認証の入力とユーザー情報データを照合することによって登録ユーザーを認証し、この際第2要因認証を提供するように構成された第2要因認証要素。 
【請求項４】
請求項2において請求されるEPS (1000)であって、ここに、前記のUPI (100)がさらに、取引データ信号を処理する取引サーバ、登録ユーザーを認証する認証サーバ、登録済みPSPSを識別するための保存されたルールを処理するUPIサーバから構成される。
【請求項５】
複数ユーザー間の支払取引を容易にする電子支払方法であって、前記の方法を以下の手順で構成する:
・利用者を電子支払システム(EPS) (1000)に登録するように構成した複数の支払サービスプロバイダー システム(PSPS)に登録し、各PSPSは以下の手順で構成される: 
・前記のPSPSに登録済み利用者に関連するユーザー情報データをローカルストレージ・デバイスに保存する
・少なくとも1つの検索表により顧客が入力するデータ、ユーザー情報データ、登録ユーザーの照合を可能にし、
・PSPSサーバに提供する
・複数のユーザーのデバイスの各ユーザーのデバイスをユーザー情報データの一環として登録する前記登録ユーザーの1人と関連付ける
・複数のPSPAツールの各支払サービスプロバイダー アプリケーション (PSPA)ツールを前記のEPSに登録済みであって、登録ユーザーが前記のPSPAツールと関連付けられたPSPSに登録されているか否かに関わらず登録ユーザーのデバイスにダウンロードして保存可能な要素を有し、さらに、各PSPAツールによって前記の登録ユーザーからの支払要請関連の取引データ信号生成と受領を可能にするPSPSのサーバに関連づけ、ホストし、前記の要請に基づく前記の登録ユーザーの口座に貸方記帳や借方記帳を行い、各PSPAツールの前記のダウンロードして保存可能な要素は以下の手順からなる:
・登録モジュールによって、PSPAツールと一意対応に関連付けられた登録済みPSPSにユーザーデバイスの登録を許可し
・仮想支払アドレス(VPA)生成モジュールによって登録ユーザーを登録してあるPSPSの識別を含む固有のVPAを登録ユーザーが生成することを可能にし、さらに ユーザーデバイスがこのモジュールによって前記の固有のVPAをユーザーを登録してあるPSPSのローカルストレージ・デバイスに、登録ユーザーのユーザー情報データの一部として送信することも可能にし、 
・統一支払インターフェース(UPI)によって、PSPSを前記のEPSに登録することを容易ならしめ、同一か異なるPSPSにおけるかを問わず取引データ信号の転送をPSPS間で選択的に制御して実行しやすくし、登録ユーザー間の支払を実行しやすくする。前記のUPIは以下の手順から構成される：
・前記の複数のPSPSと共同で定期的に貸方借方取引残高を校合し、前記の登録済みPSPS間の正味貸方借方残高明細を生成する決済モジュールを提供する
・メインストレージ・デバイスへの保存、所定ルールであり、この所定ルールは、電子支払取引、支払要請の送信と受信に関連する
・処理用プロセッサにより、前記所定のルールを処理して、モジュールを操作するためのシステム操作コマンドを取得する。
【請求項６】
請求項5において請求される方法であって、ここに、前記のUPIがさらに以下から構成される：
・登録ユーザー デバイスがPSPAツール経由で送った支払要請に関連する取引データ信号をレシーバーが受信、ここに、各要請は第1登録ユーザーのVPA、第2登録ユーザーのVPA、取引額から構成する
・パーサーがパース処理後の信号を取得するために前記の取引データ信号をパースし、
・パース処理後の信号から第1登録ユーザーのPSPSと第2登録ユーザーのPSPSに関連する情報を抽出要素識別子で抽出して識別する 
・次に転送要素が前記の取引データ信号を識別された対応するPSPSに転送し、パースしたデータ信号の内容に応じて第1登録ユーザーと第2登録ユーザーの口座間での貸方記帳ないし借方記帳を可能にする。
【請求項７】
請求項5において請求される方法であって、ここに、各PSPSはさらに以下から構成される：
・認証モジュールによる2要因認証を提供する、 2要因認証を提供する前記のステップは以下の二段階である: 
・第1要因認証要素が、利用者が前記のPSPSに登録した登録前固有番号フォームを受け取り、前記のローカルストレージ・デバイスに保存された受諾済みの登録前固有番号と登録ユーザーのユーザー情報データを照合することで登録ユーザーを確認し、これによって登録ユーザー デバイスと関連付け、
・第2要因認証要素が登録ユーザーのPINないし生体認証入力を受諾し、受諾済みPINないし生体認証の入力と前記のユーザー情報データを照合することによって登録ユーザーを認証し、これにより第2要因認証を提供する。